(57)【要約】【課題】呼処理に影響を与えることなく設定情報を更新することができる、構内交換機及び回線制御ユニットを提供する。【解決手段】構内交換機１０において複数のスロット１２は、回線制御ユニット１５を収容可能に構成され且つ並列に配設されている。交換機制御部１１は、複数のスロット１２に収容された回線制御ユニット１５を制御する。通信バスＬ１は、複数のスロット１２に収容された回線制御ユニット１５と交換機制御部１１とを接続する。記憶部１３は、回線制御ユニット１５に対する設定情報を記憶する。通信バスＬ２は、通信バスＬ１と独立し、且つ、複数のスロット１２に収容された回線制御ユニット１５と記憶部１３とを接続する。【選択図】図１
2020170886.tif 000002
【特許請求の範囲】
【請求項１】
各スロットが回線制御ユニットを収容可能に構成され且つ並列に配設された複数のスロットと、
前記複数のスロットに収容された回線制御ユニットを制御する交換機制御部と、
前記複数のスロットに収容された回線制御ユニットと前記交換機制御部とを接続する第１通信バスと、
前記回線制御ユニットに対する設定情報を記憶する記憶部と、
前記第１通信バスと独立し、且つ、前記複数のスロットに収容された回線制御ユニットと前記記憶部とを接続する第２通信バスと、
を具備する構内交換機。
【請求項２】
前記第２通信バスは、前記複数のスロットに収容された回線制御ユニットと前記記憶部との間の伝送に専用のバスである、
請求項１記載の構内交換機。
【請求項３】
前記複数のスロットに収容された回線制御ユニットは、前記構内交換機の運用中に前記複数のスロットに収容されたときに、前記第２通信バスを介して前記記憶部から前記設定情報を取得して、前記取得した設定情報を用いて初期化処理を実行する、
請求項１又は２に記載の構内交換機。
【請求項４】
前記複数のスロットに収容された回線制御ユニットは、前記記憶部から取得された前記設定情報を記憶するユニットメモリと、前記第２通信バスを介して前記記憶部から前記設定情報を取得して前記取得した設定情報を前記ユニットメモリに記憶させ、前記ユニットメモリに記憶された前記設定情報を読み出して前記初期化処理を実行するユニット制御部と、を具備する、
請求項３記載の構内交換機。
【請求項５】
前記ユニット制御部は、前記交換機制御部との通信をさらに制御する、
請求項４記載の構内交換機。
【請求項６】
各スロットが回線制御ユニットを収容可能に構成され且つ並列に配設された複数のスロットと、前記複数のスロットに収容された回線制御ユニットを制御する交換機制御部と、前記複数のスロットに収容された回線制御ユニットと前記交換機制御部とを接続する第１通信バスと、前記回線制御ユニットに対する設定情報を記憶する記憶部と、前記第１通信バスと独立し、且つ、前記複数のスロットに収容された回線制御ユニットと前記記憶部とを接続する第２通信バスと、を具備する構内交換機の前記複数のスロットに収容されて用いられる、回線制御ユニットであって、
前記構内交換機の運用中に前記複数のスロットに収容されたときに、前記第２通信バスを介して前記記憶部から前記設定情報を取得して、前記取得した設定情報を用いて初期化処理を実行する、
回線制御ユニット。
【請求項７】
前記記憶部から取得された前記設定情報を記憶するユニットメモリと、前記第２通信バスを介して前記記憶部から前記設定情報を取得して前記取得した設定情報を前記ユニットメモリに記憶させ、前記ユニットメモリに記憶された前記設定情報を読み出して前記初期化処理を実行するユニット制御部と、を具備する、
請求項６記載の回線制御ユニット。
【発明の詳細な説明】
【技術分野】
【０００１】
本開示は、構内交換機及び回線制御ユニットに関する。
【背景技術】
【０００２】
通話路系パッケージを備える構内交換機（ＰＢＸ）が提案されている（例えば、特許文献１）。特許文献１に開示されている構内交換機が通話路系パッケージのプログラムデータを集中型ダウンロードによって更新する場合、通話路系パッケージは、中央制御装置から更新プログラム（設定情報）をダウンロードしてフラッシュメモリに記憶している。
【先行技術文献】
【特許文献】
【０００３】
【特許文献１】特開２００７−３３６１７７号公報
【発明の概要】
【発明が解決しようとする課題】
【０００４】
しかしながら、特許文献１に開示されている構内交換機に関しては、呼制御に用いられる伝送路と更新プログラム（設定情報）の伝送に用いられる伝送路とが少なくとも一部で重なるため、更新プログラム（設定情報）の伝送が呼処理に影響を与える可能性がある。
【０００５】
本開示の目的は、呼処理に影響を与えることなく設定情報を更新することができる、構内交換機及び回線制御ユニットを提供することにある。
【課題を解決するための手段】
【０００６】
第１の態様にかかる構内交換機は、各スロットが回線制御ユニットを収容可能に構成され且つ並列に配設された複数のスロットと、
前記複数のスロットに収容された回線制御ユニットを制御する交換機制御部と、
前記複数のスロットに収容された回線制御ユニットと前記交換機制御部とを接続する第１通信バスと、
前記回線制御ユニットに対する設定情報を記憶する記憶部と、
前記第１通信バスと独立し、且つ、前記複数のスロットに収容された回線制御ユニットと前記記憶部とを接続する第２通信バスと、
を具備する。
【０００７】
第２の態様にかかる回線制御ユニットは、各スロットが回線制御ユニットを収容可能に構成され且つ並列に配設された複数のスロットと、前記複数のスロットに収容された回線制御ユニットを制御する交換機制御部と、前記複数のスロットに収容された回線制御ユニットと前記交換機制御部とを接続する第１通信バスと、前記回線制御ユニットに対する設定情報を記憶する記憶部と、前記第１通信バスと独立し、且つ、前記複数のスロットに収容された回線制御ユニットと前記記憶部とを接続する第２通信バスと、を具備する構内交換機の前記複数のスロットに収容されて用いられる、回線制御ユニットであって、
前記構内交換機の運用中に前記複数のスロットに収容されたときに、前記第２通信バスを介して前記記憶部から前記設定情報を取得して、前記取得した設定情報を用いて初期化処理を実行する。
【発明の効果】
【０００８】
本開示により、呼処理に影響を与えることなく設定情報を更新することができる、構内交換機及び回線制御ユニットを提供することができる。
【図面の簡単な説明】
【０００９】
【図１】第１実施形態の構内交換機の一例を示すブロック図である。
【図２】第２実施形態の交換システムの一例を示すブロック図である。
【図３】回線制御ユニットの一例を示すブロック図である。
【発明を実施するための形態】
【００１０】
以下、図面を参照しつつ、実施形態について説明する。なお、実施形態において、同一又は同等の要素には、同一の符号を付し、重複する説明は省略される。
【００１１】
＜第１実施形態＞
図１は、第１実施形態の構内交換機の一例を示すブロック図である。図１において構内交換機１０は、交換機制御部（呼制御モジュール）１１と、スロット１２−１〜１２−Ｎ（Ｎは２以上の自然数）と、記憶部１３と、通信バス（第１通信バス）Ｌ１と、通信バス（第２通信バス）Ｌ２とを有している。以下では、スロット１２−１〜１２−Ｎを互いに区別しない場合、スロット１２−１〜１２−Ｎを総称して単にスロット１２と呼ぶことがある。
【００１２】
スロット１２−１〜１２−Ｎは、互いに並列に配設されている。スロット１２は、回線制御ユニット（回線制御回路）１５を収容可能に構成されている。例えば、スロット１２は、回線制御ユニット１５を収容したときに、回線制御ユニット１５と接続される端子１２Ａ及び端子１２Ｂを有している。
【００１３】
交換機制御部（呼制御モジュール）１１は、スロット１２に収容された回線制御ユニット１５を制御する。ここで、回線制御ユニット１５は、通信を行う第１通信装置と第２通信装置との間の接続を、スロット１２に収容された状態で制御する。第１通信装置及び第２通信装置は、例えば内線端末又は外線端末であってもよい。すなわち、回線制御ユニット１５は、スロット１２に収容された状態で、例えば内線端末と局線との接続制御を行うことができる。
【００１４】
通信バス（第１通信バス）Ｌ１は、スロット１２の端子１２Ａに接続されており、スロット１２に収容された回線制御ユニット１５と交換機制御部１１とを接続する。これにより、交換機制御部１１は、スロット１２に収容された回線制御ユニット１５を制御することができる。
【００１５】
記憶部１３は、回線制御ユニット１５に対する設定情報（コンフィグ情報）を記憶する。また、記憶部１３は、通信バス（第２通信バス）Ｌ２に接続されている。
【００１６】
通信バス（第２通信バス）Ｌ２は、端子１２Ｂに接続されており、スロット１２に収容された回線制御ユニット１５と記憶部１３とを接続する。これにより、スロット１２に収容された回線制御ユニット１５は、記憶部１３から設定情報を取得することができる。ここで、通信バス（第２通信バス）Ｌ２は、通信バス（第１通信バス）Ｌ１と独立している。これにより、スロット１２に収容された回線制御ユニット１５は、交換機制御部（呼制御モジュール）１１による呼処理に影響を与えることなく設定情報を取得して更新することができる。
【００１７】
＜第２実施形態＞
第２実施形態は、より具体的な実施形態に関する。
【００１８】
＜構内交換機の構成例＞
図２は、第２実施形態の交換システムの一例を示すブロック図である。図２において交換システム１は、構内交換機２０と、データ入力装置３０とを有している。
【００１９】
構内交換機２０は、取得部２１を有している。
【００２０】
取得部２１は、データ入力装置３０から設定情報を取得する。取得部２１とデータ入力装置３０との間は、無線又は有線によって接続されている。また、取得部２１は、通信バスＬ２に接続されている。そして、取得部２１は、取得した設定情報を、通信バスＬ２を介して記憶部１３に記憶させる。こうして、構内交換機２０は、通信バスＬ１を用いずに、設定情報をデータ入力装置３０から取得して記憶部１３に記憶させることができる。ここで、通信バスＬ２は、設定情報の伝送に専用の通信バスである。
【００２１】
＜回線制御ユニットの構成例＞
図３は、回線制御ユニットの一例を示すブロック図である。図３には、回線制御ユニット１５がスロット１２に収容されている状態が示されている。
【００２２】
スロット１２に収容に収容された回線制御ユニット１５は、構内交換機２０の運用中にスロット１２に収容されたときに、通信バスＬ２を介して記憶部１３から設定情報を取得して、取得した設定情報を用いて初期化処理を実行する。
【００２３】
例えば、回線制御ユニット１５は、図３に示すように、ユニット制御部１５Ａと、ユニットメモリ１５Ｂとを有している。
【００２４】
ユニット制御部１５Ａは、構内交換機２０の運用中に回線制御ユニット１５がスロット１２に収容されたときに、通信バスＬ２を介して記憶部１３から設定情報を取得して、取得した設定情報をユニットメモリ１５Ｂに記憶させる。ユニットメモリ１５Ｂは、例えば不揮発性メモリである。そして、ユニット制御部１５Ａは、ユニットメモリ１５Ｂに記憶された設定情報を読み出して初期化処理を実行する。設定情報は、回線制御ユニット１５が動作するために必要な条件設定に関する情報を含んでいる。
【００２５】
また、ユニット制御部１５Ａは、交換機制御部１１との間の通信バスＬ１を介した通信を制御する。
【００２６】
ここで、ユニットメモリ１５Ｂには、事前に設定された設定情報の初期値（デフォルト値）が記憶されていてもよい。ユニット制御部１５Ａは、記憶部１３に設定情報が記憶されていない場合には、ユニットメモリ１５Ｂに記憶されている設定情報の初期値（デフォルト値）に基づいて、回線制御ユニット１５を起動してもよい。
【００２７】
以上のように第２実施形態によれば、構内交換機２０において回線制御ユニット１５は、スロット１２に収容されたときに、通信バスＬ２を介して記憶部１３から設定情報を取得して、取得した設定情報を用いて初期化処理を実行する。これにより、回線制御ユニット１５は、起動時に記憶部１３にアクセスして設定情報を自動的に入手することができる。
【符号の説明】
【００２８】
１  交換システム
１０  構内交換機
１１  交換機制御部（呼制御モジュール）
１２  スロット
１２Ａ  端子
１２Ｂ  端子
１３  記憶部
１５  回線制御ユニット（回線制御回路）
１５Ａ  ユニット制御部
１５Ｂ  ユニットメモリ
２０  構内交換機
２１  取得部
３０  データ入力装置
【図１】
2020170886.tif 000003
【図２】
2020170886.tif 000004
【図３】
2020170886.tif 000005